(57)【要約】【課題】手摺壁を、床上の部屋からも有効利用できる建物を提供する。【解決手段】床１０より０．９〜１．４ｍ高い中間床１１に、手摺壁２２が床１０上の部屋３に面して、かつ中間床１１の先端部から所定距離だけ後退して設けられており、手摺壁２２の上端部の前方に上幕板２６が前記手摺壁２２と平行に設けられており、手摺壁２２の下端部の前方でかつ前記中間床１１の先端部に下幕板２４が前記手摺壁２２と平行に設けられているので、中間床１１の先端部と下幕板２４と手摺壁２２の下端部とで凹溝状のポケット２７が形成される。したがって、このポケット２７にモニタ３０等の薄型の設置物３０を設置することができ、この設置物３０を部屋３全体から見ることができる。【選択図】図３
2010106631.tif 000002
【特許請求の範囲】
【請求項１】
床の一部の上方に、この床より０．９〜１．４ｍ高い中間床が設けられており、この床と中間床との間の空間が収納空間となっている建物において、
前記中間床に手摺壁が前記床上の部屋に面して、かつ前記中間床の先端部から所定距離だけ後退して設けられており、
前記手摺壁の上端部の前方に上幕板が前記手摺壁と平行に設けられており、
前記手摺壁の下端部の前方でかつ前記中間床の先端部に下幕板が前記手摺壁と平行に設けられていることを特徴とする建物。 
【請求項２】
請求項１に記載の建物において、
前記手摺壁の上端部には、この上端部から前方に突出する支持部が設けられており、この支持部の先端部に前記上幕板が取り付けられていることを特徴とする建物。 
【請求項３】
請求項１または２に記載の建物において、
前記下幕板は前記中間床の先端面に、該中間床の上面から上方に突出するようにして取り付けられていることを特徴とする建物。 
【請求項４】
請求項１〜３のいずれか一項に記載の建物において、
前記上幕板と下幕板とには、前記手摺壁の前面側で前記中間床に設置された設置物の前方への倒れを防止する倒れ防止バーの上下端部が着脱可能に取り付けられていることを特徴とする建物。 
【請求項５】
請求項１〜３のいずれか一項に記載の建物において、
前記上幕板の裏側には、前記手摺壁の前面側に配置された展示物を吊り下げるためのレールが設けられていることを特徴とする建物。 
【請求項６】
請求項１〜５のいずれか一項に記載の建物において、
前記手摺壁が透明であることを特徴とする建物。
【発明の詳細な説明】
【技術分野】
【０００１】
本発明は、床の一部の上方に中間床が設けられ、この中間床と床との間が収納室とされた建物に関する。
【背景技術】
【０００２】
前記のような建物の一例として特許文献１に記載のものが知られている。この建物は、１階床の一部の上方に中間床が設けられ、この中間床の下方が天井高が０．９〜１．４ｍの収納空間となっており、前記中間床の上方が、天井が２階床より高い中間部屋となっている。
また、１階床上の部屋は、中間部屋の天井まで吹き抜ける吹抜け空間を有しており、この吹抜け空間に面する、前記中間床の端部には手摺壁が設けられている。
【特許文献１】特開２００６−４５８８２号公報
【発明の開示】
【発明が解決しようとする課題】
【０００３】
ところで、前記中間床は１階床より０．９〜１．４ｍ程度高くなっているので、この中間床の端部にある手摺壁は、１階床上の部屋からよく見える位置にある。しかし、この手摺壁は手摺としてしか利用されておらず、他に有効利用されていなかった。
【０００４】
本発明は上記事情に鑑みてなされたもので、手摺壁を、床上の部屋からも有効利用できる建物を提供することを課題としている。
【課題を解決するための手段】
【０００５】
上記課題を解決するために、請求項１に記載の発明は、例えば図１〜図４に示すように、床１０の一部の上方に、この床１０より０．９〜１．４ｍ高い中間床１１が設けられており、この床１０と中間床１１との間の空間が収納空間１２となっている建物において、
前記中間床１１に手摺壁２２が前記床１０上の部屋３に面して、かつ前記中間床１１の先端部から所定距離だけ後退して設けられており、
前記手摺壁２２の上端部の前方に上幕板２６が前記手摺壁２２と平行に設けられており、
前記手摺壁２２の下端部の前方でかつ前記中間床１１の先端部に下幕板２４が前記手摺壁２２と平行に設けられていることを特徴とする。
【０００６】
請求項１に記載の発明によれば、床１０の一部の上方にある中間床１１に、手摺壁２２が床１０上の部屋３に面して、かつ前記中間床１１の先端部から所定距離だけ後退して設けられており、手摺壁２２の下端部の前方でかつ前記中間床１１の先端部に下幕板２４が設けられているので、中間床１１の先端部と下幕板２４と手摺壁２２の下端部とで凹溝状のポケット２７が形成される。したがって、このポケット２７にモニタ３０等の薄型の設置物３０を設置することができ、この設置物３０を部屋３全体から見ることができる。
また、ポケット２７に照明等を設けることによって間接照明となるともに、該ポケット２７に照明用やモニタ用の電源ケーブルや映像信号ケーブル等を挿入することによって、これらケーブルを隠すことができる。
さらに、前記手摺壁２２の上端部の前方に上幕板２６が設けられているので、手摺壁２２に絵画や写真等を設けた場合に、上下の幕板２６，２４によって額縁効果を得ることができる。
このように本発明によれば、手摺壁２２を床上の部屋３からも有効利用できる。
【０００７】
請求項２に記載の発明は、請求項１に記載の建物において、
前記手摺壁２２の上端部には、この上端部から前方に突出する支持部２５が設けられており、この支持部２５の先端部に前記上幕板２６が取り付けられていることを特徴とする。
【０００８】
請求項２に記載の発明によれば、手摺壁２２に上端部から突出する支持部２５の先端部に上幕板２６が取り付けられているので、手摺壁２２の上端部の前方に上幕板２６を容易に設けることができる。
また、支持部２５と上幕板２６と手摺壁２２の上端部とで、下に開口する凹溝状のポケット２８が形成されるので、このポケット２８に照明等を設けることによって、間接照明となる。また、このポケット２８に照明用の電源ケーブル等を挿入することによって、該ケーブルを隠すことができる。
【０００９】
請求項３に記載の発明は、請求項１または２に記載の建物において、
前記下幕板２４は前記中間床１１の先端面に、該中間床１１の上面から上方に突出するようにして取り付けられていることを特徴とする。
【００１０】
請求項３に記載の発明によれば、下幕板２４が中間床１１の先端面に、該中間床１１の上面から上方に突出するようにして取り付けられているので、下幕板２４を手摺壁２２の下端部の前方でかつ中間床１１の先端部に容易に設けることができる。
【００１１】
請求項４に記載の発明は、請求項１〜３のいずれか一項に記載の建物において、
前記上幕板２６と下幕板２４とには、前記手摺壁２２の前面側で前記中間床１１に設置された設置物３０の前方への倒れを防止する倒れ防止バー３１の上下端部が着脱可能に取り付けられていることを特徴とする。
【００１２】
請求項４に記載の発明によれば、上下端部が上下の幕板２６，２４に着脱可能に取り付けられた倒れ防止バー３１によって設置物３０の前方への倒れを防止できるとともに、倒れ防止バー３１の上下端部を上下の幕板２６，２４から取り外して再び取り付けることによって、倒れ防止バー３１の取付け位置を設置物３０の横幅に応じて容易に変更できる。
【００１３】
請求項５に記載の発明は、例えば図５および図６に示すように、請求項１〜３のいずれか一項に記載の建物において、
前記上幕板２６の裏側には、前記手摺壁２２の前面側に配置された展示物３８，３９を吊り下げるためのレール３５が設けられていることを特徴とする。
【００１４】
請求項５に記載の発明によれば、レール３５に展示物３８，３９を吊り下げることによって、手摺壁２２の前面側の所望の位置に展示物３８，３９を配置して、部屋３全体から見ることができる。
【００１５】
請求項６に記載の発明は、例えば図５および図６に示すように、前記手摺壁２２が透明であることを特徴とする。例えば、手摺壁２２を透明なアクリル板やガラス板等で形成する。
【００１６】
請求項６に記載の発明によれば、手摺壁２２が透明であるので、手摺壁２２の前側に展示物３９を設置したり、吊り下げたりした場合に、この展示物３９を床上の部屋３と中間床１１上の中間部屋２０の双方から見ることができる。
【発明の効果】
【００１７】
本発明によれば、床の一部の上方にある中間床に、手摺壁が前記床上の部屋に面して、かつ前記中間床の先端部から所定距離だけ後退して設けられており、前記手摺壁の上端部の前方に上幕板が設けられているので、中間床の先端部と下幕板と手摺壁の下端部とで凹溝状のポケットが形成される。したがって、このポケットにモニタ等の薄型の設置物を設置することができ、この設置物を部屋全体から見ることができる。
また、ポケットに照明等を設けることによって間接照明となるともに、該ポケットに照明用やモニタ用の電源ケーブルや映像信号ケーブル等を挿入することによって、これらケーブルを隠すことができる。
さらに、前記手摺壁の上端部の前方に上幕板が設けられているので、手摺壁に絵画や写真等を設けた場合に、上下の幕板によって額縁効果を得ることができる。
このように本発明によれば、手摺壁を床上の部屋からも有効利用できる。
【発明を実施するための最良の形態】
【００１８】
以下図面を参照して本発明の実施の形態について説明する。
（第１の実施の形態）
図１は本発明に係る建物の一例を示す１階の平面図、図２は中間床を示す平面図である。本実施の形態の建物は平屋建物であり、北西の角部には玄関１が設けられている。玄関１の南側にはキッチン２が設けられており、このキッチン２の東側にはリビングダイニング３が設けられている。リビングダイニング３の東側には寝室４が設けられており、寝室４の北側にはトイレ５が設けられている。トイレ５の北側には洗面室６と浴室７とが東西に隣接して設けられている。
【００１９】
また、１階に南側には、図１〜図３に示すように、１階の床１０の一部の上方に中間床１１が設けられている。この中間床１１は床１０より０．９〜１．４ｍ程度高くなっており、この中間床１１と床１０との間の空間は収納空間１２となっている。収納空間１２はリビングダイニング３に面する内壁１３と、この内壁１３の両端部に該内壁１３と直角に配置された互いに平行な内壁１４，１５と、この内壁１４，１５が直角に交わる外壁１６とによって囲まれている。
内壁１３には、図１および図４に示すように、矩形状の開口部１７が形成されており、この開口部１７から収納空間１２に出入りできるようになっている。また、内壁１３の裏側には、収納家具１８，１８が内壁１３に沿って左右に移動可能に設けられており、この収納家具１８，１８によって開口部１７を開閉するようになっている。なお、この収納家具１８の前面側に収納部が設けられおり、リビングダイニング３側から物を収納できるようになっている。
【００２０】
中間床１１上には、図２および図３に示すように、中間部屋２０が設けられており、この中間部屋２０の上方と、リビングダイニング３の上方とは連通している。つまり、中間部屋２０の上方およびリビングダイニング３の上方には、連続する天井１９が設けられている。この天井は山形の傾斜天井となっており、その頂部はリビングダイニング３側に若干寄っている。
また、中間床１１の一部を構成する踊り場２１ａと１階の床１０との間には階段２１が設けられている。そして、この踊り場２１ａから中間部屋２０に出入りできるようになっている。
また、中間部屋２０は、前記内壁１４と、外壁１６と、手摺壁２２，２３とによって囲まれており、手摺壁２２はリビングダイニング３に面しており、手摺壁２３は階段２１および踊り場２１ａに面している。なお、手摺壁２２，２３の高さは等しくなっている。
【００２１】
手摺壁２２は、図３に示すように、中間床１１の先端部（図３では中間床の右端部）から所定距離だけ後退して設けられており、これによって、手摺壁２２の下端部の前方には、中間床１１の先端部で構成された延出床１１ａが設けられている。この延出床１１ａの先端面、つまり中間床１１の先端面には、下幕板２４が中間床１１の上面から上方に突出するように、かつ手摺壁２３と平行に取り付けられている。下幕板２４は帯板状のものであり、中間床１１の先端縁に沿って左右に延在して設けられている。この下幕板２４の左右の長さは、手摺壁２２の左右の長さと等しくなっている。
【００２２】
また、手摺壁２２の上端部には、この上端部から前方に突出する支持部２５が設けられている。この支持部２５は水平な帯板状に形成されたものであり、左右の長さは手摺壁２２の左右の長さと等しくなっている。
前記支持部２５の先端面には上幕板２６が下方に突出するようにして、かつ、手摺壁２２と平行に取り付けられている。上幕板２６は帯板状のものであり、支持部２５の先端縁に沿って左右に延在して設けられている。この上幕板２６の左右の長さは、支持部２５の先端部の左右の長さ（手摺壁２２の左右の長さ）と等しくなっている。また、上幕板２６は、下幕板２４とほぼ面一になるようにして、支持部２５に取り付けられている。
【００２３】
前記中間床１１の先端部、つまり延出床１１ａと下幕板２４と手摺壁２２の下端部とによって凹溝状のポケット２７が形成されており、このポケット２７には、モニタ（設置物）３０が延出床１１ａに設置された状態で設けられている。モニタ３０は薄型の液晶画面を有しており、その電源ケーブルや映像信号ケーブル等はポケット２７に挿入されている。
【００２４】
また、前記上幕板２６と下幕板２４とには、手摺壁２２の前面側で中間床１１の先端部の延出床１１ａに設置された設置物の前方への倒れを防止する倒れ防止バー３１，３１の上下端部が着脱可能に取り付けられている。
すなわち、上幕板２６の下端部の裏面と、下幕板２４の上端部の裏面とには、それぞれ面ファスナー３２の一方が取り付けられており、倒れ防止バー３１，３１の上下端部には、それぞれ面ファスナー３２の他方が取り付けられている。
面ファスナー３２の一方は帯状に形成されたものであり、上下の幕板２６，２４の長手方向に沿って設けられている。面ファスナー３２の他方は、面ファスナー３２の一方に着脱可能となるものであり、倒れ防止バー３１の上下端部の、幕板２６，２４の裏面に対向する部位に取り付けられている。
そして、倒れ防止バー３１は、その上下端部の面ファスナー３２の他方を、幕板２６，２４の裏面の面ファスナー３２の一方に着脱可能に取り付けることによって、前記上幕板２６と下幕板２４の上下端部に着脱可能に取り付けられている。
【００２５】
本実施の形態によれば、床１０の一部の上方にある中間床１１に、手摺壁２２が床１０上のリビングダイニング３に面して、かつ中間床１１の先端部から所定距離だけ後退して設けられており、手摺壁２２の下端部の前方でかつ中間床１１の先端部に下幕板２４が設けられているので、中間床１１の先端部と下幕板２４と手摺壁２２の下端部とで凹溝状のポケット２７が形成される。したがって、このポケット２７にモニタ３０等の薄型の設置物を設置することができ、この設置物をリビングダイニング３全体から見ることができる。
また、ポケット２７に照明等を設けることによって間接照明となるともに、該ポケット２７に照明用やモニタ用の電源ケーブルや映像信号ケーブル等を挿入することによって、これらケーブルを隠すことができる。
さらに、前記手摺壁２２の上端部の前方に上幕板２６が設けられているので、手摺壁２２に絵画や写真等を設けた場合に、上下の幕板２６，２４によって額縁効果を得ることができる。
【００２６】
また、手摺壁２２の上端部に、この上端部から前方に突出する支持部２５が設けられており、この支持部２５の先端部に上幕板２６が取り付けられているので、手摺壁２２の上端部の前方に上幕板２６を容易に設けることができる。
さらに、支持部２５と上幕板２６と手摺壁２２の上端部とで、下に開口する凹溝状のポケット２８が形成されるので、このポケット２８に照明等を設けることによって、間接照明となる。また、このポケット２８に照明用の電源ケーブル等を挿入することによって、該ケーブルを隠すことができる。
【００２７】
加えて、下幕板２４は中間床１１の先端面に、該中間床１１の上面から上方に突出するようにして取り付けられているので、下幕板２４を手摺壁２２の下端部の前方でかつ中間床１１の先端部に容易に設けることができる。
また、上幕板２６と下幕板２４とには、手摺壁２２の前面側で中間床１１に設置されたモニタ３０の前方への倒れを防止する倒れ防止バー３１，３１の上下端部が面ファスナー３２によって着脱可能に取り付けられているので、倒れ防止バー３１，３１の上下端部を上下の幕板２６，２４から取り外して再び取り付けることによって、倒れ防止バー３１，３１の取付け位置をモニタ３０の横幅に応じて容易に変更できる。
【００２８】
なお、本実施の形態では、上幕板２６を支持部２５の先端部に取り付けたが、これに代えて、上幕板２６の両端部を対向する内壁に固定することによって、手摺壁２２の上端部の前方に上幕板２６を設けてもよい。
また、本実施の形態において、手摺壁２２に開口部を設けるとともに、この開口部を開閉する引戸等を設けてもよい。このようにすれば、中間部屋２０から開口部を通してポケット２７にモニタ３０や照明等の設置物を設置したり、ポケット２８に照明を設けるとともに、電源ケーブルや映像信号ケーブルの配線も行うことができ便利である。
【００２９】
（第２の実施の形態）
図５および図６は第２の実施の形態を示すものである。この第２の実施の形態が第１の実施の形態と異なる点は、上幕板２６の裏側にレール３５を設けた点であるので、以下ではこの点について説明し、第１の実施の形態と同様の構成部分には同一符号を付してその説明を省略ないし簡略化する。
【００３０】
上幕板２６の裏面には、レール３５が取り付けられている。レール３５は断面Ｌ字型に形成されたものであり、上幕板２６の長手方向に沿って水平に設けられている。
レール３５には、複数のスライダ３６・・・がレール３５に沿って左右に摺動可能に係合している。２つのスライダ３６，３６には、吊り下げ紐３７，３７の上端部が取り付けられており、該吊り下げ紐３７，３７の下端部には、展示物３８が吊り下げられている。この展示物３８は額縁に入れられた絵画である。そして、この展示物３８は手摺壁２２の前方に吊り下げられた状態で配置されている。
また、１つのスライダ３６には、吊り下げ紐３７の上端部が取り付けられており、該吊り下げ紐３７の下端部には、展示物３９が吊り下げられている。この展示物３９は花輪等の装飾物である。そして、この展示物３９は手摺壁２２の前方に吊り下げられた状態で配置されている。
【００３１】
本実施の形態によれば、上幕板２６の裏面に、レール３５が設けられているので、このレール３５に展示物３８，３９を吊り下げることによって、手摺壁２２の前面側の所望の位置に展示物３８，３９を配置して、この展示物３８，３９をリビングダイニング３全体から見ることができる。
【００３２】
なお、本実施の形態では、レール３５を上幕板２６の裏面に取り付けたが、これに代えて、レール３５を上幕板２６の裏面と対向する手摺壁２２の上端部前面に取り付けてもよく、また、支持部２５の底面に取り付けてもよい。要は、レール３５は上幕板２６の裏側に設ければよい。
また、本実施の形態では、上幕板２６の裏面にレール３５だけを取り付けたが、これに加えて、第１実施の形態と同様に、面ファスナー３２を取り付けてもよい。この場合、面ファスナー３２はレール３５より下方に取り付けるとともに、下幕板２４の裏面にも取り付ける。このようにすれば、手摺壁２２の前面側に、展示物３８，３９に加えて、モニタ３０等の設置物を配置できる。
また、本実施の形態において、手摺壁２２を透明なアクリル板やガラス板によって形成することによって、透明なものとしてもよい。このようにすれば、展示物３９を床上の部屋３と中間床１１上の中間部屋２０の双方から見ることができる。
【図面の簡単な説明】
【００３３】
【図１】本発明に係る建物の一例を示すもので、１階の平面図である。
【図２】同、中間床を示す平面図である。
【図３】同、要部を示す側断面図である。
【図４】同、要部を示す正面図である。
【図５】本発明に係る建物の他の例を示すもので、要部を示す側断面図である。
【図６】同、要部を示す正面図である。
【符号の説明】
【００３４】
３  リビングダイニング（部屋）
１０  床
１１  中間床
１２  収納空間
２２  手摺壁
２４  下幕板
２５  支持部
２６  上幕板
３０  モニタ（設置物）
３１  倒れ防止バー
３２  面ファスナー
３５  レール
３８，３９  展示物
【図１】
2010106631.tif 000003
【図２】
2010106631.tif 000004
【図３】
2010106631.tif 000005
【図４】
2010106631.tif 000006
【図５】
2010106631.tif 000007
【図６】
2010106631.tif 000008